(57)【要約】      （修正有）【課題】払い出されるメダルを立たせた状態で容易に整列させる。【解決手段】遊技機のメダル貯留装置は、払出口からメダルを受け取って収容する主収容空間を有する主収容部と、主収容空間より小さい収容空間であって、主収容空間に連通する補助収容空間を有する補助収容部と、を備える。主収容部は、主収容空間から補助収容空間へのメダルの移動を許容する開放部分を含む。補助収容部は、所定の第１の方向において対向する第１および第２の側壁部と、第１の方向と直交する所定の第２の方向において対向する第３および第４の側壁部と、主収容空間から移動するメダルを受ける底壁部と、を含む。底壁部は、第１および第２の側壁部の間で第１の方向に延びる長溝を含む。長溝は、第２の方向においてメダルの直径より大きな幅を有し、第１の方向と直交する平面での断面形状が下方に窪む湾曲形状となるように形成される。【選択図】図２
2017164024.tif 000002
【特許請求の範囲】
【請求項１】
入賞時に払出口から円形のメダルを払い出す遊技機において、
払出口から払い出されるメダルを受け取って収容する主収容空間を有する主収容部と、
主収容空間より小さい収容空間であって、主収容空間に連通する補助収容空間を有する補助収容部と、を備え、
主収容部は、
主収容空間に収容されるメダルが補助収容空間に移動するように、メダルの移動を許容する開放部分、を含み、
補助収容部は、
補助収容空間が上方に開放するように補助収容空間を画定するために、所定の第１の方向において対向する第１および第２の側壁部と、第１の方向と直交する所定の第２の方向において対向する第３および第４の側壁部と、主収容空間から移動するメダルを受ける底壁部と、を含み、
底壁部は、第１および第２の側壁部の間で第１の方向に延びる長溝、を含み、
長溝は、第２の方向においてメダルの直径より大きな幅を有し、第１の方向と直交する平面での断面形状が下方に窪む湾曲形状となるように形成される遊技機のメダル貯留装置。
【請求項２】
長溝は、メダルの直径より大きな直径の円形形状の一部を、湾曲形状として有する請求項１に記載の遊技機のメダル貯留装置。
【請求項３】
底壁部は、長溝の第１の方向に延びる一対の側端部分と、第３および第４の側壁部とをそれぞれ連結する一対の傾斜面、を含み、
一対の傾斜面は、第３および第４の側壁部の各側壁部から、長溝の一対の側端部分の各側端部分に向かって下向きに傾斜するように形成される請求項１または請求項２に記載の遊技機のメダル貯留装置。
【請求項４】
第１の側壁部は、遊技者の指先が補助収容空間に進入することを許容する切欠部分、を含み、
切欠部分は、メダルの直径より小さい幅を有し、上方に開放して形成される請求項１乃至請求項３のいずれかに記載の遊技機のメダル貯留装置。
【請求項５】
長溝の深さは、第２の側壁部から第１の側壁部に向う方向において徐々に大きくなるように定められる請求項４に記載の遊技機のメダル貯留装置。
【請求項６】
長溝は、メダルの直径より大きな直径の円形形状の一部を、湾曲形状として有し、
長溝の幅は、第２の側壁部から第１の側壁部に向う方向において徐々に大きくなるように定められ、
円形形状の一部である長溝の湾曲形状の直径は、第２の側壁部から第１の側壁部に向う方向において徐々に大きくなるように定められる請求項５に記載の遊技機のメダル貯留装置。
【請求項７】
主収容空間は、
第２の方向の長さが第１の方向の長さより長くなるように、第２の方向に延びて形成され、
第２の方向において、補助収容空間に連通する請求項１乃至請求項６のいずれかに記載の遊技機のメダル貯留装置。
【請求項８】
主収容空間に収容されるメダルを第２の方向に移動させるために、主収容部に振動を付与する振動発生機構、を備える請求項７に記載の遊技機のメダル貯留装置。
【請求項９】
振動発生機構は、第２の方向において、主収容空間に対して補助収容空間が配置される側とは反対側に配置される請求項８に記載の遊技機のメダル貯留装置。
【発明の詳細な説明】
【技術分野】
【０００１】
本発明は、スロットマシンなどの遊技機において、払出口から払い出されるメダルを貯留する貯留装置に関する。詳細には、払出口からメダル収容部に払い出される横倒し状態のメダルを立たせて整列させ、メダル収容部から取り出し易くするメダル貯留装置に関する。
【背景技術】
【０００２】
従来、スロットマシンなどの遊技機において、払出口から受皿に払い出される円形のメダルを整列させるために、メダル整列用の溝が受皿の底面に形成されるメダル貯留装置が提案されている。たとえば、特許文献１に記載のメダル貯留装置は、メダル受け部と、メダル整列用の複数の溝と、を備える。メダル受け部は、中央部が窪んだ形状を有し、遊技機の払出口から払い出されるメダルを受け取って集める働きを備える。複数の溝は、メダル受け部の両側に形成される。各溝の深さは、受皿からメダルが取り出し難くならないように、設定される。遊技者は、メダル受け部に一旦集められたメダルを、複数の溝の各溝に導いて、横倒し状態のメダルを立たせて各溝に沿って整列させることができる。遊技者は、各溝に沿ってメダルを整列させることができることから、投入口に投入するために受皿からメダルを容易に掴んで取り出すことができる。
【先行技術文献】
【特許文献】
【０００３】
【特許文献１】特開平１１−１１４１４１号公報
【発明の概要】
【発明が解決しようとする課題】
【０００４】
特許文献１に記載のメダル貯留装置では、遊技者は、横倒し状態のメダルを掴むことなく、メダル受け部から複数の溝まで、横倒し状態のメダルを導くことは容易にできる。しかし、複数の溝の各溝が、メダルの直径以下の小さな幅で形成されているので、横倒し状態のメダルの平面は、複数の溝を形成する面と面接触または線接触の状態になる。このような接触状態のために、横倒し状態のメダルを簡単に立たせることができないことから、遊技者は、２つの指先で各メダルを掴んで立たせる必要がある。各メダルを掴む行為は、遊技に集中している遊技者にとって煩わしいことであり、また、各メダルを投入口に迅速に投入するために問題となる。
【０００５】
そこで、本発明は、上記の事情に鑑みてなされたものであり、払い出されるメダルを立たせた状態で容易に整列させることができる遊技機のメダル貯留装置を提供することを目的とする。
【課題を解決するための手段】
【０００６】
請求項１に記載の発明態様は、入賞時に払出口から円形のメダルを払い出す遊技機において、払出口から払い出されるメダルを受け取って収容する主収容空間を有する主収容部と、主収容部の主収容空間より小さい収容空間であって、主収容空間に連通する補助収容空間を有する補助収容部と、を備え、主収容部は、主収容空間に収容されるメダルが補助収容空間に移動するように、メダルの移動を許容する開放部分、を含み、補助収容部は、補助収容空間が上方に開放するように補助収容空間を画定するために、所定の第１の方向において対向する第１および第２の側壁部と、第１の方向と直交する所定の第２の方向において対向する第３および第４の側壁部と、主収容空間から移動するメダルを受ける底壁部と、を含み、底壁部は、第１および第２の側壁部の間で第１の方向に延びる長溝、を含み、長溝は、第２の方向においてメダルの直径より大きな幅を有し、第１の方向と直交する平面での断面形状が下方に窪む湾曲形状となるように形成される構成である。
【０００７】
本発明態様では、メダル貯留装置が遊技機の前面パネルに配置される場合に、補助収容部は、主収容部が前面パネルに沿って延びる長手方向に沿って配置されてもよいし、主収容部より前方に配置されてもよい。また、補助収容部は、主収容部と同じ高さで配置されてもよいし、主収容部より下方に配置されてもよい。
【０００８】
本発明態様では、第２の方向における長溝の幅は、第１および第２の側壁部の間において、同じ幅であってもよいし、異なる幅であってもよい。また、長溝の深さは、第１および第２の側壁部の間において、同じ深さであってもよいし、異なる深さであってもよい。
【０００９】
本発明態様では、長溝の湾曲形状は、横倒し状態のメダルと長溝との間に、指先を差し込むことができる隙間が形成される形状であれば、その湾曲形状の曲率は限定されない。また、長溝の湾曲形状は、円形形状の一部、または楕円形状の一部であってもよいし、複数の曲率の曲面が組み合わせられる形状であってもよい。
【００１０】
本発明態様では、長溝の第１の方向に延びる一対の側端部分と、第３および第４の側壁部とをそれぞれ連結する一対の連結面は、横倒し状態のメダルを長溝まで移動させることができる面であれば、傾斜面に限定されない。また、一対の連結面の形状は、平坦な形状であってもよいし、長溝の湾曲形状より曲率半径が大きい湾曲形状であってもよい。
【００１１】
請求項２に記載の具体的態様では、長溝は、メダルの直径より大きな直径の円形形状の一部を、湾曲形状として有する。
【００１２】
請求項３に記載の具体的態様では、底壁部は、長溝の第１の方向に延びる一対の側端部分と、第３および第４の側壁部とをそれぞれ連結する一対の傾斜面、を含み、一対の傾斜面は、第３および第４の側壁部の各側壁部から、長溝の一対の側端部分の各側端部分に向かって下向きに傾斜するように形成される。
【００１３】
請求項４に記載の具体的態様では、第１の側壁部は、遊技者の指先が補助収容空間に進入することを許容する切欠部分、を含み、切欠部分は、メダルの直径より小さい幅を有し、上方に開放して形成される。
【００１４】
請求項５に記載の具体的態様では、長溝の深さは、第２の側壁部から第１の側壁部に向う方向において徐々に大きくなるように定められる。
【００１５】
請求項６に記載の具体的態様では、長溝は、メダルの直径より大きな直径の円形形状の一部を、湾曲形状として有し、長溝の幅は、第２の側壁部から第１の側壁部に向う方向において徐々に大きくなるように定められ、円形形状の一部である長溝の湾曲形状の直径は、第２の側壁部から第１の側壁部に向う方向において徐々に大きくなるように定められる。
【００１６】
請求項７に記載の具体的態様は、主収容空間は、第２の方向の長さが第１の方向の長さより長くなるように、第２の方向に延びて形成され、第２の方向において、補助収容空間に連通する。
【００１７】
請求項８に記載の具体的態様では、主収容空間に収容されるメダルを第２の方向に移動させるために、主収容部に振動を付与する振動発生機構、を備える。
【００１８】
本具体的態様では、振動発生機構は、主収容空間に収容されるメダルを第２の方向に移動させる構成であれば、いかなる構成であってもよい。また、振動発生機構は、遊技者が操作部を操作するときに作動する構成であってもよいし、払出口からメダルが払い出される動作に連動して作動する構成であってもよい。
【００１９】
請求項９に記載の具体的態様では、振動発生機構は、第２の方向において、主収容空間に対して補助収容空間が配置される側とは反対側に配置される。
【発明の効果】
【００２０】
請求項１に記載の発明態様では、主収容部は、主収容空間に収容されるメダルが補助収容空間に移動するように、メダルの移動を許容する開放部分、を含む。補助収容部は、所定の第１の方向において対向する第１および第２の側壁部と、第１の方向と直交する所定の第２の方向において対向する第３および第４の側壁部と、主収容空間から移動するメダルを受ける底壁部と、を含む。底壁部は、第１および第２の側壁部の間で第１の方向に延びる長溝、を含む。長溝は、第２の方向においてメダルの直径より大きな幅を有し、第１の方向と直交する平面での断面形状が下方に窪む湾曲形状となるように形成される。この結果、遊技者は、主収容空間において横倒し状態で積み重なるメダルを掴むことなく、その横倒し状態のメダルを、開放部分を通して補助収容空間に移動させることができる。また、横倒し状態のメダルは、補助収容空間において湾曲形状の長溝と２点で点接触し、その２点を結ぶ中心線の回りに回転し易い状態にある。メダルが回転し易い状態において、遊技者は、メダルの周縁部分を上方から押すか、または、下方から持ち上げるだけで、２点を結ぶ中心線の回りにメダルを回転させて立たせることができ、補助収容部の長溝に沿って立たせた状態で、メダルを迅速かつ容易に整列させることができる。
【００２１】
請求項２に記載の具体的態様では、長溝は、メダルの直径より大きな直径の円形形状の一部を、湾曲形状として有する。この結果、メダルが長溝において種々の傾きで横倒し状態になった場合でも、横倒し状態のメダルと、円形形状の一部である長溝との間に、一定の大きさの隙間を確保することができる。
【００２２】
請求項３に記載の具体的態様では、底壁部は、長溝の第１の方向に延びる一対の側端部分と、第３および第４の側壁部とをそれぞれ連結する一対の傾斜面、を含む。一対の傾斜面は、第３および第４の側壁部の各側壁部から、長溝の一対の側端部分の各側端部分に向かって下向きに傾斜するように形成される。この結果、横倒し状態のメダルが、主収容空間から補助収容空間に移動するときに、一対の傾斜面に沿って長溝まで円滑に移動することができる。
【００２３】
請求項４に記載の具体的態様では、第１の側壁部は、遊技者の指先が補助収容空間に進入することを許容する切欠部分、を含む。切欠部分は、メダルの直径より小さい幅を有し、上方に開放して形成される。この結果、遊技者は、長溝において立った状態で整列されるメダルを、切欠部分を通して進入させる親指などの指先と、人差し指などの別の指先とにより挟み、補助収容部から上方に取り出すことができる。
【００２４】
請求項５に記載の具体的態様では、長溝の深さは、第２の側壁部から第１の側壁部に向う方向において徐々に大きくなるように定められる。この結果、第２の側壁部に近い位置であるほど、長溝の深さは小さいことから、横倒し状態のメダルが長溝内に位置するときに、メダルの横倒し状態の姿勢を一定の姿勢にすることができる。遊技者は、一定の姿勢のメダルの周縁部分を、一定の上方方向から押すか、または、一定の下方方向から持ち上げることで、メダルを立たせることができる。そして、遊技者は、立たせた状態のメダルを第１の側壁部の切欠部分の配置位置から整列させることができる。
【００２５】
請求項６に記載の具体的態様では、長溝は、メダルの直径より大きな直径の円形形状の一部を、湾曲形状として有する。長溝の幅は、第２の側壁部から第１の側壁部に向う方向において徐々に大きくなるように定められる。円形形状の一部である長溝の湾曲形状の直径は、第２の側壁部から第１の側壁部に向う方向において徐々に大きくなるように定められる。この結果、第２の側壁部に近い位置であるほど、長溝の湾曲形状の直径は小さいことから、横倒し状態のメダルが長溝内に位置するときに、メダルの横倒し状態の姿勢を一定の姿勢にすることができる。遊技者は、一定の姿勢のメダルの周縁部分を、一定の上方方向から押すか、または、一定の下方方向から持ち上げることで、メダルを立たせることができる。そして、遊技者は、立たせた状態のメダルを第１の側壁部の切欠部分の配置位置から整列させることができる。また、第１の側壁部に近い位置であるほど、長溝の湾曲形状の直径は大きいことから、切欠部分の周辺に位置する第１の側壁部の面であって、長溝内で立たせた状態のメダルが当接する面の広さを大きくすることができる。遊技者は、第２の側壁部に近い位置で立たせたメダルを第１の側壁部に向って引き寄せるときに、メダルを第１の側壁部の広い面に確実に当接させて整列させることができ、メダルが切欠部分をすり抜けて脱落することを防止することができる。
【００２６】
請求項７に記載の具体的態様では、主収容空間は、第２の方向の長さが第１の方向の長さより長くなるように、第２の方向に延びて形成され、第２の方向において、補助収容空間に連通する。この結果、補助収容部が、主収容部の長手方向である第２の方向に配列されることから、遊技機の前面パネルから前方に突出させることなく、補助収容部を配置することができる。
【００２７】
請求項８に記載の具体的態様では、主収容空間に収容されるメダルを第２の方向に移動させるために、主収容部に振動を付与する振動発生機構、を備える。この結果、払出口から払い出されたメダルを、主収容空間から補助収容空間に向けて自動的に移動させることができる。
【００２８】
請求項９に記載の具体的態様では、振動発生機構は、第２の方向において、主収容空間に対して補助収容空間が配置される側とは反対側に配置される。この結果、補助収容部、および振動発生機構を、主収容部に近接させた位置で配置することができる。
【図面の簡単な説明】
【００２９】
【図１】本発明の一実施形態に係るメダル貯留装置３０を備えるスロットマシン１の全体構成を示す正面図である。
【図２】メダル貯留装置３０を左前方から見た拡大斜視図である。
【図３】メダル貯留装置３０を前方から見た正面図である。
【図４】メダル貯留装置３０を上方から見た平面図である。
【図５】振動付与機構３２の分解斜視図である。
【図６】右上方から見た補助収容部３６の全体構成を示す斜視図である。
【図７】上方から見た補助収容部３６の全体構成を示す平面図である。
【図８】図７に示すＡ−Ａ線に従って切断された補助収容部３６の縦断面図である。
【図９】図７に示すＢ−Ｂ線に従って切断された補助収容部３６の横断面図である。
【図１０】図７に示すＣ−Ｃ線に従って切断された補助収容部３６の横断面図である。
【図１１】図７に示すＤ−Ｄ線に従って切断された補助収容部３６の横断面図である。
【図１２】メダルＭＤが横倒し状態から立った状態へ変化する動作を示す説明図である。
【図１３】補助収容空間ＳＰ３において後方壁部１４６に近接して位置する横倒し状態のメダルＭＤと長溝１６８との位置関係を示す説明図である。
【図１４】補助収容空間ＳＰ３において中間壁部１４８に近接して位置する横倒し状態のメダルＭＤと長溝１６８との位置関係を示す説明図である。
【図１５】中間壁部１４８に近接して位置において、メダルＭＤが横倒し状態から立った状態に向かって変化する動作を示す説明図である。
【図１６】中間壁部１４８に近接して位置において、多数のメダルＭＤが立った状態で整列された様子を示す説明図である。
【発明を実施するための形態】
【００３０】
［実施形態］
以下に、本発明の一実施形態に係るメダル貯留装置を備えるスロットマシンについて、図面を参照して説明する。図１は、スロットマシン１の全体構成を示す正面図である。なお、図１に矢印で示す２つの方向を、上下方向、および左右方向とし、両方向に直交する方向を、前後方向として、図２以降の図面でも同様に、各方向を示す。
【００３１】
＜スロットマシン１の全体構成＞
図１において、スロットマシン１は、表示パネル１０と、操作パネル１２と、を備える。表示窓１４が、表示パネル１０に配置される。左表示リール１６Ａ、中表示リール１６Ｂ、および右表示リール１６Ｃが、スロトマシン１の内部に回転可能に配置される。３つの表示リール１６Ａ、１６Ｂ、１６Ｃの各々には、多種類の図柄が描かれ、各表示リールの図柄が表示窓１４に表示される。表示窓１４において、各表示リールに描かれた複数種類の図柄の列が表示列であり、本実施形態では、３つの表示列が左右方向に配列される。多種類の図柄は、各表示リールの回転により可変表示される。
【００３２】
メダル投入口１８が、表示パネル１０の右下方に配置される。遊技者は、メダル投入口１８から、ゲームに賭けるメダルを投入する。左表示ストップボタン２０Ａ、中表示ストップボタン２０Ｂ、および右表示ストップボタン２０Ｃが、操作パネル１２に配置される。ストップボタン２０Ａ、２０Ｂ、２０Ｃは、表示リール１６Ａ、１６Ｂ、１６Ｃにそれぞれ対応して設けられ、対応する表示リールの回転を停止させるために押圧操作可能である。
【００３３】
ＢＥＴスイッチ２２は、１回のゲームで賭けるメダル数を指定するために、操作パネル１２の左方に配置される。ＢＥＴスイッチ２２は、クレジットとして貯留されたメダルをゲームに賭けるためのスイッチである。ＢＥＴスイッチ２２により指定されたメダル数は、図示しない表示部に表示される。
【００３４】
スタートレバー２４が、操作パネル１２において、ＢＥＴスイッチ２２に近接した位置に配置される。スタートレバー２４は、メダルが賭けられた後に操作される。スタートレバー２４を操作すると、３つの表示リール１６Ａ、１６Ｂ、１６Ｃの回転が開始される。ストップボタン２０Ａ、２０Ｂ、２０Ｃが順次押されると、対応する表示リールの回転が順次停止される。全ての表示リールの回転が停止したときに、遊技価値が付与される「役」、または「ハズレ」が決まる。３つの表示リールの図柄の組み合わせに応じて「役」が決定される。遊技価値が付与される「役」としては、１枚から１５枚までの範囲でメダルの払い出しが付与される複数種類の「役」と、メダルの払い出しに関係なく、ビッグボーナス、またはレギュラーボーナスなどの有利な遊技状態が付与される「役」と、メダルの払い出しはないがメダルを投入することなく、再度、同数のメダル投入条件で遊技を続行することができる再遊技が付与される「役」とが存在する。
【００３５】
振動起動ボタン２６が、操作パネル１２において、メダル投入口１８の下方に配置される。振動起動ボタン２６は、後述の振動付与機構を起動させるために操作される。
【００３６】
メダル払出口２８が、スロットマシン１の下方に配置される。メダル払出口２８は、ゲームの入賞内容に応じて、所定枚数のメダルが払い出される部分である。
【００３７】
本実施形態に係るメダル貯留装置３０が、メダル払出口２８の下方に配置される。メダル貯留装置３０は、メダル払出口２８から払い出されるメダルを貯留し、貯留されるメダルを立たせた状態で整列させる装置である。
【００３８】
＜メダル貯留装置３０の詳細な構成＞
メダル貯留装置３０の詳細な構成について、図２乃至図４を参照して説明する。図２は、メダル貯留装置３０の前面および上面を覆う化粧パネルを取り除いた状態において、左前方から見たメダル貯留装置３０の全体構成を示す。図３は、前方から見たメダル貯留装置３０の全体構成を示し、図４は、上方から見たメダル貯留装置３０の全体構成を示す。メダル貯留装置３０は、振動付与機構３２と、主収容部３４と、補助収容部３６と、を主に備える。図２において、振動付与機構３２は、主収容部３４の左側に配置され、補助収容部３６は、主収容部３４の右側に配置される。
【００３９】
メダル貯留装置３０は、スロットマシン１のフレームに固定される支持フレーム３８を備える。振動付与機構３２と、主収容部３４と、補助収容部３６と、は、図３に示すように、支持フレーム３８上に載置されて支持されることにより、ユニット化される。支持フレーム３８は、本体支持板４０と、前方側板４２と、後方側板４４と、右方延出部４６と、を備える。本体支持板４０は、左右方向に長い形状を有し、振動付与機構３２、および主収容部３４が配置される支持領域を左右方向に有する。前方側板４２、および後方側板４４は、本体支持板４０の前後の両側端部において、上方に起立して形成される。前方側板４２、および後方側板４４の各側板は、一対のガイド孔を有する。図２、および図３において、前方側板４２に形成される一対のガイド孔４８Ａ、５０Ａのみが示される。
【００４０】
右方延出部４６は、図３に示すように、本体支持板４０の右方端部から右方に延出して形成される。右方延出部４６は、補助収容部３６を載置するために平坦な支持部４６Ａを備える。
【００４１】
＜振動付与機構３２の詳細な構成＞
振動付与機構３２の詳細な構成について、図５を参照して説明する。図５は、振動付与機構３２の分解斜視図である。図５において、振動付与機構３２は、振動フレーム５２と、駆動モータ５４と、偏心部材５６と、振動伝達機構５８と、を主に備える。
【００４２】
振動フレーム５２は、台座部６０と、一対の支持片６２Ａ、６２Ｂと、連結壁部６４と、前方垂下部６６と、後方垂下部６８と、を備える。台座部６０は、左右方向に延びて形成され、主収容部３４が配置される広さの上面を有する。ばね掛止部７０が、連結壁部６４に近い位置で、台座部６０の中間部分から下方に延びて形成される。一対の支持片６２Ａ、６２Ｂは、台座部６０の右方端部の前後両側において、起立して形成される。両支持片６２Ａ、６２Ｂは、前後方向に貫通する支持孔７２Ａ、７２Ｂをそれぞれ有する。
【００４３】
連結壁部６４は、台座部６０の左方端部において、起立して形成される。連結壁部６４は、壁本体部分７４と、一対の側板部分７６Ａ、７６Ｂと、を備える。一対の側板部分７６Ａ、７６Ｂは、壁本体部分７４の前後の両端部において、右方に延びて形成される。両側板部分７６Ａ、７６Ｂは、上下に長い調整溝７８Ａ、７８Ｂを有する。両調整溝７８Ａ、７８Ｂは、両支持孔７２Ａ、７２Ｂをそれぞれ中心とする円弧形状に形成される。
【００４４】
前方垂下部６６は、台座部６０の前方側部において、下方に延びて形成される。後方垂下部６８は、台座部６０の後方側部において、下方に延びて形成される。一対のガイドコロ８０Ａ、８２Ａが、ねじなどの固定手段により、回転自在に前方垂下部６６にそれぞれ取り付けられる。両ガイドコロ８０Ａ、８２Ａは、両ガイド孔４８Ａ、５０Ａにそれぞれ嵌合する。ガイドコロ８０Ａ、８２Ａと同様な一対のガイドコロが、後方垂下部６８にもそれぞれ取り付けられ、後方側板４４の一対のガイド孔にそれぞれ嵌合する。この結果、振動フレーム５２は、支持フレーム３８のガイド孔４８Ａ、５０Ａに沿って左右方向に移動可能になる。
【００４５】
支持ブロック８４が、駆動モータ５４を支持フレーム３８に固定するために設けられる。支持ブロック８４は、固定部分８６と、モータ取付部分８８と、を備える。固定部分８６は、ねじなどの固定手段により、支持フレーム３８に固定される。モータ取付部分８８は、固定部分８６から起立して形成され、前後方向に貫通する挿通孔９０と、前後方向に貫通するばね掛止孔９２とを有する。
【００４６】
円筒連結体９４が、駆動モータ５４の回転軸５４Ａに固定される。円筒連結体９４が挿通孔９０に挿通された状態で、駆動モータ５４は、ねじなどの固定手段により、モータ取付部分８８に固定される。
【００４７】
偏心部材５６は、連結回転部分９６と、偏心軸部分９８と、を備える。連結回転部分９６は、円筒連結体９４が嵌合する連結凹部を有する。円筒連結体９４は、挿通孔９０を通してモータ取付部分８８から前方に突出した状態において、連結回転部分９６の連結凹部に嵌合する。この嵌合により、偏心部材５６の連結回転部分９６は、円筒連結体９４と一体的に回転することができる。
【００４８】
偏心軸部分９８の前後方向の中心線が、連結回転部分９６の前後方向の中心線から偏心して配置されるように、偏心軸部分９８は連結回転部分９６に連結して形成される。
【００４９】
振動伝達機構５８は、伝達ブロック１００と、円形振動部材１０２と、を主に備える。伝達ブロック１００は、取付部分１０４と、伝達延出部分１０６と、を備える。取付部分１０４は、ねじなどの固定手段により、連結壁部６４の壁本体部分７４に固定される。伝達延出部分１０６は、嵌合溝１０８を有する。嵌合溝１０８の上下方向の長さは、嵌合溝１０８の左右方向の幅より長くなるように、定められる。円形振動部材１０２は、前後方向に貫通する連結孔１１０を有し、円形嵌合部分１１２と、フランジ部分１１４と、を備える。円形嵌合部分１１２は、嵌合溝１０８に嵌合する。円形嵌合部分１１２の直径は、嵌合溝１０８の左右方向の幅と、ほぼ同じ寸法に設定される。フランジ部分１１４は、嵌合溝１０８の左右方向の幅よりも大きな直径の円形形状に形成され、円形嵌合部分１１２の前方側に連結されて形成される。
【００５０】
偏心部材５６の偏心軸部分９８は、座金１１６の挿通孔、および、伝達ブロック１００の嵌合溝１０８を通して、円形振動部材１０２の連結孔１１０に挿通される。座金１１６の外形の直径は、嵌合溝１０８の左右方向の幅よりも大きな直径に定められる。止め輪１１８が、連結孔１１０から前方に突出する偏心軸部分９８の前端部に、小径の座金１２０を介して、取り付けられる。この止め輪１１８の取付けにより、円形振動部材１０２が、偏心軸部分９８から抜け落ちることが防止される。
【００５１】
図４において、引張ばね１２２は、台座部６０のばね掛止部７０と、モータ取付部分８８のばね掛止孔９２との間に張設される。引張ばね１２２は、弾性力により、左方に向って振動フレーム５２を常時付勢する。
【００５２】
振動付与機構３２において、駆動モータ５４が回転すると、偏心軸部分９８、および円形振動部材１０２が、駆動モータ５４の回転軸５４Ａから偏心して回転する。この偏心した回転は、円形嵌合部分１１２と嵌合溝１０８との嵌合により、左右方向の運動として伝達ブロック１００に伝達される。この左右方向の運動の伝達により、振動フレーム５２は、左右方向において振動する。
【００５３】
＜主収容部３４の詳細な構成＞
主収容部３４の詳細な構成について、図４、および図５を参照して説明する。主収容部３４は、図５に示すように、前後方向の幅よりも左右方向に長い箱形の形状を有する。主収容部３４は、底板部１２４と、前方板部１２６と、後方板部１２８と、左方板部１３０と、を主に備える。主収容部３４は、右方端部において、右方に開放する開放部分１３２を有する。３本の突条１３４が、図４に示すように、底板部１２４において、左方板部１３０の近傍から開放部分１３２まで、左右方向に延びて形成される。図４において、主収容空間ＳＰ１は、メダル払出口２８から払い出されるメダルを受けるために上方に開放する空間であって、底板部１２４、前方板部１２６、後方板部１２８、および左方板部１３０の４つの板部により画定される空間である。
【００５４】
前方支持突部１３６Ａが、前方板部１２６の右下方部分から前方に突出した状態で、前方板部１２６に固定される。後方支持突部１３６Ｂが、後方板部１２８の右下方部分から後方に突出した状態で、後方板部１２８に固定される。前方支持突部１３６Ａ、および後方支持突部１３６Ｂは、ねじなどの固定手段により、支持孔７２Ａ、７２Ｂを通して支持片６２Ａ、６２Ｂに回動可能に取り付けられる。
【００５５】
前方調整突部１３８Ａが、前方板部１２６の左方部分から前方に突出した状態で、前方板部１２６に固定される。後方調整突部１３８Ｂが、後方板部１２８の左方部分から後方に突出した状態で、後方板部１２８に固定される。前方調整突部１３８Ａ、および後方調整突部１３８Ｂは、調整ねじなどの固定手段により、調整溝７８Ａ、７８Ｂを通して側板部分７６Ａ、７６Ｂに取り付けられる。前方調整突部１３８Ａ、および後方調整突部１３８Ｂの取付位置は、調整溝７８Ａ、７８Ｂに沿って調整される。この取付位置の調整により、振動フレーム５０に対して主収容部３４が右下がりに傾斜する傾斜角度が調整される。
【００５６】
＜補助収容部３６の詳細な構成＞
補助収容部３６の詳細な構成について、図３、図４、および、図６乃至図１１を参照して説明する。図６は、右上方から見た補助収容部３６の全体構成を示し、図７は、上方から見た補助収容部３６の全体構成を示す。図８は、図７に示すＡ−Ａ線に従う補助収容部３６の縦断面図であり、図９乃至図１１は、図７に示すＢ−Ｂ線、Ｃ−Ｃ線、およびＤ−Ｄ線に従う補助収容部３６の横断面図である。図６において、補助収容部３６は、補助フレーム１４０と、補助収容ケース１４２と、を主に備える。補助フレーム１４０は、図３に示すように、支持フレーム３８の右方延出部４６に載置されて固定される。補助フレーム１４０は、主収容部３４の底板部１２４よりも下方に配置される。補助収容ケース１４２は、補助フレーム１４０に着脱可能に支持される。
【００５７】
補助フレーム１４０は、前方壁部１４４と、後方壁部１４６と、中間壁部１４８と、一対の連結壁部１５０、１５２と、一対の連結延出体１５４、１５６と、を主に備える。前方壁部１４４、後方壁部１４６、および中間壁部１５０は、図６において、左右方向に延びて形成される。両連結壁部１５０、１５２は、前方壁部１４４と中間壁部１４８とを連結するために、前後方向に延びて形成される。両連結延出体１５４、１５６は、後方壁部１４６と中間壁部１４８とを連結するために、前後方向に延びて形成される。両連結延出体１５４、１５６は、図１０において、図示される。
【００５８】
切欠部分１５８が、左右方向において中間壁部１４８の中央位置に形成され、上方に向って開放する。切欠部分１５８の左右方向の幅は、遊技者の親指の指先が通過可能な幅に設定される。本実施形態では、切欠部分１５８の左右方向の幅は、スロットマシン１で使用されるメダルの直径より小さい幅に設定される。一般的には、スロットマシン１で使用される円形のメダルとしては、直径２５ｍｍのメダルと、直径３０ｍｍのメダルとが存在する。本実施形態では、直径２５ｍｍのメダルを使用することを前提に、切欠部分１５８の左右方向の幅は、メダルの直径２５ｍｍより小さい幅である１６ｍｍに設定され、切欠部分１５８の上下方向の深さは、メダルの直径２５ｍｍより小さい深さである２０ｍｍに設定される。
【００５９】
予備収容空間ＳＰ２が、上方に開放する空間であって、前方壁部１４４と、中間壁部１４８と、両連結壁部１５０、１５２と、円弧状の底面１６０とにより画定される空間である。円弧状の底面１６０は、図９において、図示される。予備収容空間ＳＰ２の前後方向の長さは、スロットマシン１で使用されるメダルの直径より僅かに大きな長さに設定される。本実施形態では、直径２５ｍｍのメダルを使用することを前提に、予備収容空間ＳＰ２の前後方向の長さは、直径２５ｍｍのメダルに合わせて設定される。底面１６０の円弧形状を形成する円形形状の直径は、メダルの直径より充分に大きな直径に設定され、たとえば、３６ｍｍに設定される。
【００６０】
補助収容ケース１４２は、右方側壁部１６２と、左方側壁部１６４と、底壁部１６６と、を主に備える。図６において、右方側壁部１６２、および左方側壁部１６４は、前後方向に延びて形成される。底壁部１６６は、左右方向において、右方側壁部１６０と左方側壁部１６２とを連結する。
【００６１】
補助収容空間ＳＰ３は、上方に開放する空間であって、補助フレーム１４０の後方壁部１４６および中間壁部１４８とともに、右方側壁部１６２と、左方側壁部１６４と、底壁部１６６とにより画定される空間である。補助収容空間ＳＰ３は、図４に示すように、主収容部３４の開放部分１３２を通して、主収容空間ＳＰ１と連通する。この連通する構成により、補助収容空間ＳＰ３は、主収容部３４から送り出されるメダルを受け取ることができる。
【００６２】
図７において、底壁部１６６は、長溝１６８と、一対の傾斜面１７０、１７２と、を有する。長溝１６８は、底壁部１６６の左右方向の中央位置において、前後方向に延びて形成される。図１０、および図１１において、傾斜面１７０は、右方側壁部１６２から、長溝１６８の右方側縁部に向って下方に傾斜して配置される。傾斜面１７２は、左方側壁部１６４から、長溝１６８の左方側縁部に向って下方に傾斜して配置される。両傾斜面１７０、１７２は、平坦な面により形成される。
【００６３】
（長溝１６８の詳細な形状）
長溝１６８の詳細な形状について、図７、図８、図１０、および図１１を参照して説明する。長溝１６８の左右方向の幅は、スロットマシン１で使用されるメダルの直径より大きい幅に設定される。長溝１６８の左右方向の幅は、図７に示すように、後方壁部１４６における幅Ｗ２から、中間壁部１４８における幅Ｗ１まで、徐々に大きくなるように定められる。本実施形態では、後方壁部１４６における幅Ｗ２は、スロットマシン１で使用されるメダルの直径２５ｍｍより充分に大きな幅、たとえば、３０ｍｍに設定される。
【００６４】
左右方向の平面で切断するときの長溝１６８の横断面形状は、円形形状の一部分である円弧形状に形成される。図７に示すＣ−Ｃ線に沿う長溝１６８の円弧形状は、図１０に示すように、直径Ｄ１の円形形状の一部分である円弧形状に形成される。図７に示すＤ−Ｄ線に沿う長溝１６８の円弧形状は、図１１に示すように、直径Ｄ２の円形形状の一部分である円弧形状に形成される。直径Ｄ１は、直径Ｄ２より充分に大きな直径に設定される。本実施形態では、直径Ｄ１が、４３ｍｍに設定され、直径Ｄ２は、３３ｍｍに設定され、両直径Ｄ１、Ｄ２は、スロットマシン１で使用されるメダルの直径２５ｍｍより充分に大きな直径である。
【００６５】
長溝１６８の深さは、図８に示すように、後方壁部１４６における深さＨ２から、中間壁部１４８における深さＨ１まで、徐々に大きくなるように定められる。本実施形態では、中間壁部における深さＨ１は、後方壁部１４６における深さＨ２の１．５倍以上の深さに設定される。中間壁部における深さＨ１は、スロットマシン１で使用されるメダルの直径２５ｍｍの１／２より大きな深さ、たとえば、１３ｍｍに設定される。
【００６６】
［メダル貯留装置３０の動作および作用］
メダル貯留装置３０の動作および作用について、図１２乃至図１６を参照して説明する。スロットマシン１の動作はよく知られているので、その説明を省略し、本実施形態に係るメダル貯留装置３０の動作および作用について、詳細に説明する。図１２は、メダルＭＤが横倒し状態から立った状態へ変化する動作を示す。図１３乃至図１６は、補助収容空間ＳＰ３において、メダルＭＤが後方壁部１４６から中間壁部１４８まで移動して整列される様子を順次示す。
【００６７】
メダルがメダル払出口２８から払い出されると、横倒し状態のメダルが主収容部３４の主収容空間ＳＰ１に貯留される。遊技者は、横倒し状態のメダルを立たせて整列させるために、主収容空間ＳＰ１において自分の指先でメダルを右方向に移動させる。メダルが主収容部３４の開放部分１３２まで移動すると、メダルは、開放部分１３２から補助収容部３６の補助収容空間ＳＰ３に向けて落下する。落下したメダルは、傾斜面１７２に沿って案内されて長溝１６８に入り込む。また、落下したメダルが、長溝１６８を超えて傾斜面１７０まで移動した場合でも、傾斜面１７０に沿って案内されて長溝１６８の内部に戻される。
【００６８】
主収容空間ＳＰ１において遊技者が自分の指先でメダルを右方向に移動させる代わりに、自動的にメダルを移動させるために、遊技者が操作パネル１２上の振動起動ボタン２６を押圧操作すると、スロットマシン１の制御装置は、振動起動ボタン２６の操作を検知して振動付与機構３２の駆動モータ５４を、一定時間だけ駆動する。この駆動モータ５４の駆動により、振動フレーム５２、および主収容部３４が左右方向に振動する。主収容部３４の振動により、主収容空間ＳＰ１に収容されるメダルは右方向に順次移動する。開放部分１３２まで移動したメダルは、開放部分１３２から補助収容部３６の補助収容空間ＳＰ３に向けて落下する。
【００６９】
図１２の（Ａ）、および図１３の（Ａ）は、補助収容空間ＳＰ３において横倒し状態のメダルＭＤが後方壁部１４６に近接した位置で、長溝１６８に入り込んだ状態を示す。図１３の（Ｂ）は、図１３の（Ａ）に示すＸ１−Ｘ１線に沿って切断した縦断面図であり、図１３の（Ｃ）は、図１３の（Ａ）に示すＹ１−Ｙ１線に沿って切断した横断面図である。図１３の（Ａ）、および図１３の（Ｃ）において、メダルＭＤは、点Ｐ１と点Ｐ２との２点で、長溝１６８と接触する。図１３の（Ｂ）に示すように、メダルＭＤは、長溝１６８の底面から隙間をあけて位置する。図１３の（Ｃ）に示すように、メダルＭＤが後方壁部１４６に近接して位置する状態において、メダルＭＤが点接触する長溝１６８の幅Ｗは、メダルＭＤの直径より大きい幅であるが、中間壁部１４８における長溝１６８の幅Ｗ１より充分に小さい幅である。この結果、メダルＭＤが後方壁部１４６に近接して位置する状態において、メダルＭＤは、長溝１６８の内部において、図１３の（Ｃ）に示すほぼ水平な一定の姿勢で位置する。
【００７０】
図１２の（Ａ）に示す矢印は、遊技者がメダルＭＤを前方に移動させる方向を示す。メダルＭＤは、長溝１６８と点接触するとともに、長溝１６８の底面から隙間をあけて位置することから、遊技者は、メダルＭＤの上面に軽く接触するのみで、メダルＭＤを中間壁部１４８に向けて前方に移動させることができる。
【００７１】
図１２の（Ｂ）、および図１４の（Ａ）は、助収容空間ＳＰ３において横倒し状態のメダルＭＤが中間壁部１４８に近接した位置まで移動されて、長溝１６８の内部に位置する状態を示す。図１４の（Ｂ）は、図１４の（Ａ）に示すＸ２−Ｘ２線に沿って切断した縦断面図であり、図１４の（Ｃ）は、図１４の（Ａ）に示すＹ２−Ｙ２線に沿って切断した横断面図である。中間壁部１４８に近接した位置におけるメダルＭＤは、図１４の（Ｂ）、および図１４の（Ｃ）に示すように、点Ｐ１と点Ｐ２との２点で、長溝１６８と接触するとともに、長溝１６８の底面から隙間をあけて位置する。
【００７２】
中間壁部１４８における長溝１６８の幅Ｗ１、および深さＨ１は、後方壁部１４６における長溝１６８の幅Ｗ２、および深さＨ２より充分に大きい幅、および深さにそれぞれ設定される。この幅、および深さの設定により、図１４の（Ｂ）において、長溝１６８の内部に配置される中間壁部１４８の領域Ｒ１が、長溝１６８の内部に配置される後方壁部１４８の領域Ｒ２より、広い領域になる。この結果、遊技者が、整列させるべき１枚目のメダルＭＤを長溝１６８の内部で滑らせて勢いよく前方に移動させた場合でも、比較的に広い領域Ｒ１にメダルＭＤを確実に当接させることができる。
【００７３】
メダルＭＤを長溝１６８の内部で滑らせて勢いよく前方に移動させた場合に、メダルＭＤが切欠部分１５８を通過したときでも、その通過したメダルＭＤは予備収容空間ＳＰ２に入り込み、前方壁部１４４に当接して静止することから、スロットマシン１の下方に落下することはない。遊技者は、予備収容空間ＳＰ２の内部のメダルＭＤを、円弧状の底面１６０に沿って滑らせて、予備収容空間ＳＰ２から取り出すことができる。
【００７４】
図１２の（Ｃ）、および図１５の（Ａ）は、中間壁部１４８に近接した位置で、横倒し状態のメダルＭＤを立たせる様子を示す。図１５の（Ｂ）は、図１５の（Ａ）に示すＸ３−Ｘ３線に沿って切断した縦断面図であり、図１５の（Ｃ）は、図１５の（Ａ）に示すＹ３−Ｙ３線に沿って切断した横断面図である。図１２の（Ｃ）に示す矢印は、遊技者がメダルＭＤの上面の位置ＰＴを上方から押したときに、メダルＭＤが回転する方向を示す。図１４の（Ａ）、および図１４の（Ｃ）において、メダルＭＤは、点Ｐ１と点Ｐ２との２点で、長溝１６８と接触するとともに、長溝１６８の底面から隙間をあけて位置することから、遊技者が、図１２の（Ｃ）に示すメダルＭＤの位置ＰＴを上方から押すと、２つの点Ｐ１、Ｐ２を結ぶ線を中心にメダルＭＤを容易に回転させることができる。図１５の（Ｂ）に示すように、メダルＭＤが長溝１６８に対して傾斜した姿勢まで回転したときに、遊技者がメダルＭＤを中間壁部１４８に引き寄せることにより、中間壁部１４８に沿ってメダルＭＤを立たせることができる。
【００７５】
遊技者が、長溝１６８に沿ってメダルＭＤを前方に移動させ、その後に、２つの点Ｐ１、Ｐ２を結ぶ線を中心にメダルＭＤを回転させることを繰り返すことにより、複数枚のメダルＭＤを立たせた状態で整列させることができる。図１６の（Ａ）は、長溝１６８に沿って、６枚のメダルＭＤを立たせた状態で整列させた様子を示す。図１６の（Ｂ）は、図１６の（Ａ）に示すＸ４−Ｘ４線に沿って切断した縦断面図であり、図１６の（Ｃ）は、図１６の（Ａ）に示すＹ４−Ｙ４線に沿って切断した横断面図である。
【００７６】
図１６の（Ｂ）において、遊技者は、整列された６枚のメダルＭＤのうちの最も前方に位置するメダルＭＤの面に、切欠部分１５８を通して親指の一部を接触させるとともに、最も後方に位置するメダルＭＤの面に、人差し指を接触させ、６枚のメダルＭＤを前後方向から掴んだ状態で持ち上げる。この結果、遊技者は、立たせた状態で整列された複数のメダルＭＤを補助収容部３６から取り出し、これらのメダルＭＤの各々をメダル投入口１８に迅速かつ容易に投入することができる。
【００７７】
［実施形態の効果］
本実施形態では、長溝１６８が円弧状に形成され、長溝１６８の左右方向の幅が円形のメダルＭＤの直径より大きな幅に設定される構成である。この結果、メダルＭＤは２つの点Ｐ１、Ｐ２で長溝１６８に点接触し、遊技者は、メダルＭＤの周縁部に近い位置を上方から押すか、または、メダルＭＤと長溝１６８の底面との隙間を通してメダルＭＤの周縁部に近い位置を上方に持ち上げることにより、２つの点Ｐ１、Ｐ２を結ぶ線の回りに容易に回転させることができる。この回転により、遊技者は、長溝１６８に沿って、メダルＭＤを立たせた状態で整列させることができる。
【００７８】
本実施形態では、長溝１６８の左右方向の幅、および上下方向の深さは、補助収容部３６の後方壁部１４６における幅Ｗ２、および深さＨ２から、中間壁部１４８における幅Ｗ１、および深さＨ１まで、徐々に大きくなるように設定される。この幅および深さの設定により、長溝１６８の内部に配置される中間壁部１４８の領域Ｒ１が、長溝１６８の内部に配置される後方壁部１４６の領域Ｒ２より広い領域になる。この結果、図１２の（Ｂ）に示すように、遊技者が中間壁部１４８までメダルＭＤを移動させるとき、および、図１２の（Ｃ）に示すように、遊技者が中間壁部１４８に近接した位置で、メダルＭＤを回転させるときに、遊技者は、広い領域Ｒ１にメダルＭＤを確実に当接させて立たせることができる。また、後方壁部１４６における幅Ｗ２は、中間壁部１４８における幅Ｗ１より小さい幅に設定されることから、メダルＭＤが長溝１６８の内部で位置する姿勢が、ほぼ水平な一定姿勢となる。この結果、遊技者は、一定姿勢のメダルＭＤに指先を上方から軽く接触することで、メダルＭＤを前方に移動させることができる。
【００７９】
本実施形態では、切欠部分１５８が上方に開放した状態で中間壁部１４８に形成される。切欠部分１５８の左右方向の幅は、遊技者の親指の一部が進入することができる幅に設定される。この結果、遊技者は、図１６の（Ｂ）に示すように立たせた状態で整列された複数枚のメダルを、２つの指先で掴んで補助収容空間ＳＰ３から容易に取り出すことができる。
【００８０】
本実施形態では、メダル貯留装置３０は、振動付与機構３２を備え、振動付与機構３２の駆動モータ５４は、遊技者による振動起動ボタン２６の操作により、一定時間だけ駆動される。この駆動モータの駆動により、主収容部３４が左右方向に振動する。この結果、主収容空間ＳＰ１に収容されるメダルを補助収容空間ＳＰ３に自動的に移動させて収容することができ、遊技者は、遊技中にメダルの移動操作を行うことなく遊技に一層集中することができる。
【００８１】
遊技機の遊技者は男性に限られず、女性の遊技者も増加している。また、遊技者の年齢層は、２０代前半の若年層にも広がっている。近年、若い女性の間で、ネールアートが流行しており、付け爪を付けた女性が遊技機を楽しむことが多くなってきた。付け爪を付けた遊技者が、受皿からメダルを取り出す場合、付け爪が邪魔になってメダルを指先で掴むことが困難なことが多い。たとえば、特許文献１に記載のメダル貯留装置において、遊技者は、付け爪の先で横倒し状態のメダルを掴むことが困難であることから、メダル受け部で横倒し状態のメダルを立たせて各溝に沿って整列させることは極めて困難になる。これに対して、本実施形態では、図１４の（Ｂ）、および図１４の（Ｃ）に示すように、長溝１６８の内部で横倒し状態にあるメダルＭＤは、長溝１６８と点接触するとともに、長溝１６８の底面との間に隙間をあけて位置することから、遊技者は、図１２の（Ｃ）に示すメダルＭＤの位置ＰＴを上方から押すか、または、付け爪を隙間に差し込んでメダルＭＤを上方に持ち上げることにより、２点Ｐ１、Ｐ２を結ぶ線を中心にメダルＭＤを容易に回転させて立たせることができる。この結果、付け爪を付けている遊技者であっても、払い出されるメダルを容易に整列させることができる。
【００８２】
本実施形態では、振動付与機構３２、主収容部３４、および補助収容部３６が、スロットマシン１の前面パネルに沿って左右方向に配置されることから、主収容部３４の前方に補助収容部３６を配置する構成に比べて、スロッタマシン１の下方部分が前方に突出して遊技者の足などと衝突することを低減することができる。また、左右方向に延びる主収容空間ＳＰ１が、開放部分１３２を通して、主収容空間ＳＰ１の右側に配置される補助収容空間ＳＰ３に連通する構成である。この結果、遊技者は、メダルを右方に直線的に移動させる簡単な操作で、主収容空間ＳＰ１から開放部分１３２を通して補助収容空間ＳＰ３に、メダルを容易に移動させて収容することができる。
【００８３】
＜構成の対応関係＞
スロットマシン１、およびメダル貯留装置３０は、本発明の遊技機、およびメダル貯留装置の一例である。振動付与機構３２は、本発明の振動付与機構の一例である。主収容部３４、補助収容部３６、主収容空間ＳＰ１、および補助収容空間ＳＰ３は、本発明の主収容部、補助収容部、主収容空間、および補助収容空間の一例である。開放部分１３２は、本発明の開放部分の一例である。中間壁部１４８、および後方壁部１４６は、本発明の第１の側壁部、および第２の側壁部の一例である。右方側壁部１６２、および左方側壁部１６４は、本発明の第３の側壁部、および第４の側壁部の一例である。切欠部分１５８は、本発明の切欠部分の一例である。底壁部１６６は、本発明の底壁部の一例である。長溝１６８は、本発明の長溝の一例であり、傾斜面１７０、１７２は、本発明の一対の傾斜面の一例である。前後方向は、本発明の所定の第１方向の一例であり、左右方向は、本発明の所定の第２方向の一例である。長溝１６８の幅Ｗ１、Ｗ２は、本発明の長溝の幅の一例であり、長溝１６８の深さＨ１、Ｈ２は、本発明の長溝の深さの一例である。
【００８４】
＜変形例＞
本発明は、本実施形態に限定されることはなく、その趣旨を逸脱しない範囲において種々の変形が可能である。以下にその変形の一例を述べる。
【００８５】
（１）本実施形態では、補助収容部３６が、主収容部３４の右側に主収容部３４と左右方向に並んで配列され、長溝１６８が前後方向に延びるように配置される構成であるが、この構成に限定されない。たとえば、補助収容部が、主収容部と前後方向に並んで配列されてもよいし、長溝が左右方向に延びるように、補助収容部が配置されてもよい。
【００８６】
（２）本実施形態では、補助収容部３６は、予備収容空間ＳＰ２と、補助収容空間ＳＰ３とを有する構成であるが、予備収容空間ＳＰ２を有しない構成であってもよい。
【００８７】
（３）本実施形態では、メダル貯留装置３０は、主収容部３４に左右方向の振動を付与する振動付与機構３２を有する構成であるが、この構成に限定されない。たとえば、振動付与機構は、所定の揺動軸を中心に主収容部３４を揺動方向に振動させる構成であってもよい。または、メダル貯留装置が、振動付与機構を備えない構成であってもよい。
【００８８】
（４）本実施形態では、長溝１６８は、円形形状の一部分である円弧状に形成されるが、この形状に限定されない。たとえば、円形のメダルが長溝と２つの点で点接触することができる湾曲形状であれば、いかなる湾曲形状であってもよい。また、長溝１６８の左右方向の幅、および上下方向の深さが、後方壁部１４６における幅Ｗ２、および深さＨ２から、中間壁部１４８における幅Ｗ１、および深さＨ１まで、徐々に大きくなるように設定されるが、この幅、および深さの設定に限定されない。たとえば、長溝の幅、および深さが均一の幅、および均一の深さに設定されてもよい。
【００８９】
（５）本実施形態では、親指の一部が進入することができる切欠部分１５８が、中間壁部１４８に形成される構成であるが、この構成に限定されない。たとえば、図１６の（Ｂ）に示すように立たせた状態で整列されたメダルＭＤの最上方端部が、中間壁部の上方端部から上方に突出するように、中間壁部の上下方向の高さが設定され、切欠部分が形成されていない構成であっても、遊技者は、整列されたメダルＭＤの上方端部を２つの指先で掴んで持ち上げることができる。
【００９０】
（６）本実施形態では、補助収容部３６の一対の傾斜面１７０、１７２は、平坦な傾斜面に形成される構成であるが、この構成に限定されない。たとえば、各傾斜面が、上方に向って突出するように湾曲して形成される構成であってもよい。
【００９１】
（７）本実施形態では、円形のメダルＭＤの直径は、２５ｍｍであり、この直径２５ｍｍに合わせて長溝１６８の左右方向の幅、および深さが設定される構成であるが、この構成に限定されない。円形のメダルＭＤの直径が、３０ｍｍであれば、この直径３０ｍｍに合わせて長溝の左右方向の幅、および深さが設定される。
【００９２】
（８）本実施形態では、補助収容部３６の補助収容ケース１４２は、補助フレーム１４０に着脱可能に支持される構成であるが、この構成に限定されない。補助収容ケースと補助フレームとが一体的に構成されてもよい。ただ、補助収容ケース１４２が、補助フレーム１４０に着脱可能に支持される構成であれば、円形のメダルＭＤの直径２５ｍｍに使用される補助収容ケースを、円形のメダルＭＤの直径３０ｍｍに使用される補助収容ケースに、容易に交換することができる。
【符号の説明】
【００９３】
１    スロットマシン
３０    メダル貯留装置
３２    振動付与機構
３４    主収容部
３６    補助収容部
１３２    開放部分
１４６    後方壁部
１４８    中間壁部
１５８    切欠部分
１６２    右方側壁部
１６４    左方側壁部
１６６    底壁部
１６８    長溝
１７０、１７２    傾斜面
ＳＰ１    主収容空間
ＳＰ３    補助収容空間
ＭＤ    メダル
Ｈ１、Ｈ２    長溝１６８の深さ
Ｗ１、Ｗ２    長溝１６８の幅
【図１】
2017164024.tif 000003
【図２】
2017164024.tif 000004
【図３】
2017164024.tif 000005
【図４】
2017164024.tif 000006
【図５】
2017164024.tif 000007
【図６】
2017164024.tif 000008
【図７】
2017164024.tif 000009
【図８】
2017164024.tif 000010
【図９】
2017164024.tif 000011
【図１０】
2017164024.tif 000012
【図１１】
2017164024.tif 000013
【図１２】
2017164024.tif 000014
【図１３】
2017164024.tif 000015
【図１４】
2017164024.tif 000016
【図１５】
2017164024.tif 000017
【図１６】
2017164024.tif 000018